(57)【要約】      （修正有）【課題】電気エネルギーを一切使用せず、養魚飼育に使用する溶存酸素値以上の高酸素水に瞬時に処理を行うさけます孵化用曝気槽の提供。【解決手段】曝気槽の側面上下部の外部及び内部に換気口を設けて、曝気槽内外の温度差を利用して自然換気を行い、溶存酸素量の低い用水を網状多段層接触材にて接触曝気を行い、曝気槽本体としては電気的エネルギーを一切使用せず、運転コストゼロのまま溶存酸素量の多い高酸素水を瞬時に処理することを特徴とするさけます孵化用曝気槽である。曝気処理を行う際に用水が流下する課程で多少の飛散水を生じるが、換気口に処理水飛散防止用の内部換気口を設けることにより、外部飛散を防ぎ氷柱の形成を生じさせないことを特徴とするさけます孵化用曝気槽。【選択図】図１
0003125610.tif 000002
【実用新案登録請求の範囲】
【請求項１】
曝気槽の側面上下部に外部換気口及び内部換気口を設けて、接触曝気を行う接触材を上下二段に分割して配置することを特徴としたさけます孵化用曝気槽
【考案の詳細な説明】
【技術分野】
【０００１】  本考案は、さけます等人工孵化させる際に用いる用水の中で、低酸素水を動力などの電気エネルギーを一切使用せず、養魚飼育に使用する溶存酸素値以上の高酸素水に瞬時に処理を行うさけます孵化用曝気槽に関する物である。
【背景技術】
【０００２】  さけます等人工孵化させる際に用いる用水の中で、井戸水などの低酸素水をポンプを使用して揚水し、孵化室や養魚池又は飼育池に送水し使用するが、低酸素用水であるために曝気処理する必要が生じ、送水する前段階において一度設置した水槽などによる処理を行う必要があった。【０００３】  水槽内に設置した多段式ジャマ板に用水をぶつけて、その衝撃による拡散接触曝気を行い高酸素水処理を行っていた。【０００４】  又は水槽の上部に動力などの電気エネルギーにて稼働する回転プロペラを設置し、送水してきた用水に圧送空気を強制的に接触材に送風して、接触曝気させ高酸素水処理を行っていた。【０００５】  さけます増殖用水水質基準の中の溶存酸素量は毎リットル当たり７．０ｐｐｍ以上とされている。（水産庁北海道さけ・ますふ化場  さけ・ますふ化事業実施マニュアル）これは水温８．０度水においてはＤＯ値（溶存酸素飽和度値）６１．０％である。この値の用水による孵化卵数及び養魚数又は飼育魚数が規定されている。
【考案の開示】
【考案が解決しようとする課題】
【０００６】  従来の技術で述べたものにあっては、下記のような問題点を有していた。
多段式ジャマ板による拡散曝気の場合、ジャマ板の数量又は送水の速度に関係なくＤＯ値が６０％を境に高酸素処理することができず、さけます卵又は稚魚の必要酸素量を確保するために大量の処理水を使用する必要があった。【０００７】  動力を用いて強制的に圧送空気を送り込み接触曝気を行う場合、８月から翌年の４月の事業期の間に２４時間運転処理を行うものであり、その使用電気費が膨大に消費されていた。【０００８】  従来の曝気方式によるところでは処理水の飛散量が多く、厳冬期においてはその飛散水が氷結して巨大な氷柱を形成・成長し、除去する作業が必要であった。
【課題を解決するための手段】
【０００９】  本願は、従来の技術の有するこのような問題点に鑑みなされたものであり、その目的とするところは、つぎに掲げるようなことができるものを提供使用とする物である。
すなわち、本願のものは動力などの電気エネルギーを一切使用せず、曝気槽内外の気温差による換気を行う事を特徴に、ＤＯ値が９０％から１００％の高酸素水に瞬時に処理を行うものであり、飛散水を生じさせないものである。
【考案の効果】
【００１０】  本願による自然換気式の曝気槽を使用することにより、動力エネルギー等の使用電気等消費することが無く、ＤＯ値が９０％から１００％の高酸素水処理を瞬時に行うことが出来ることにより、さけます増殖用水水質基準を大きく超える酸素を溶存した処理水を供給できることで、規定の孵化卵数及び養魚数又は飼育魚数を少量の処理水でまかなうことが可能であり、又は同量水においては規定数を多く孵化又は飼育することが可能になる。
【考案を実施するための最良の形態】
【００１１】  曝気槽の寸法的高さは２．０ｍから３．０ｍの範囲とし、自然換気口を上下に設け、上は曝気槽上部より下に０．３５ｍの位置とし、下は曝気槽下部より上に０．７ｍの位置に配する。曝気槽内の接触材は、曝気槽内面壁より０．１５ｍ離した位置に設置して空気の循環が可能な状態にし、その接触材を上下２段に分割し０．１ｍ以上の空間を設ける。【００１２】  高酸素処理を行う用水をヘッダー等により１次分水し、曝気槽内に設置した散水水槽にて２次分水して、曝気槽内に配置された網状多段層形態を有した接触材の投影面積に対して均一に流水する。用水が流下すると共に空気との接触曝気作用が行われ、一端曝気槽内に蓄積した後に瞬時に排水口より排水される。【００１３】  曝気槽内部に設置する接触材の体積（立方メートル）は、毎分あたりに処理する用水体積（立方メートル）の１．２倍から１．６倍の範囲とし、処理用水は接触材全体に均等に流下することが必要である。
【実施例】
【００１４】  実施例について添付図に従って説明する。
用水を送水される管９から１次分水をヘッダー２等により行い、曝気槽１に導入して散水ボックス３にて受け入れ、この散水ボックス３にて２次分水を行う。分水された用水は上部接触材４の投影面積に対して均一に流下する。【００１５】  曝気槽内１の気温は導入用水の水温に影響され、ほぼ用水水温と同じ気温状況になる。曝気槽内１気温と外気温の気温差によって冬期間は曝気槽内１の気温が高いために上部換気口６より曝気槽内部空気は排気され、下部換気口７より入気する。【００１６】  流下する際に下部換気口７により曝気槽１の内外気温の差によって導入された新鮮空気に接触曝気する。さらに上下接触材の空間を流下した後に下部接触材５にその投影面積に対して均一に流下し、さらに接触曝気を行う。下部接触材５を経て曝気槽１の底面域に一時的に貯水するが、瞬時に排水口８より排水され、孵化場に配備させる配水槽又は孵化室あるいは養魚池などに順次送水される。【００１７】  曝気処理を行う際に用水が流下する課程で多少の飛散水を生じるが、換気口に処理水飛散防止用の内部換気口を設けることにより、外部飛散を防ぎ氷柱の形成を生じさせない。【００１８】  曝気槽本体の構造に置いては、パネル組み立て式としているが、一体型構造でもかまわない。【００１９】  接触材配置に関しては、左右に２分割して曝気槽中央部分に０．７ｍの空間を設けて、曝気槽内の点検のため通路を設ける構造でもかまわない。
【図面の簡単な説明】
【００２０】
【図１】使用状態を示す全体の１部を欠いた実施例を示す斜視図である。
【図２】同上の実施例を示す縦断面図である。
【符号の説明】
【００２１】  １      曝気槽
１Ａ    曝気槽外補強材
１Ｂ    曝気槽平架台
２      ヘッダー
２Ａ    ヘッダー架台
３      散水ボックス
４      上部接触材
５      下部接触材
６      上部換気口
６Ａ    上内部換気口
７      下部換気口
７Ａ    下内部換気口
８      排水口
９      導水入口
Ａｒ    空気の流れ
Ｗａ    水の流れ
【図１】
0003125610.tif 000003
【図２】
0003125610.tif 000004